(57)【要約】  【課題】回路基板の組み付け作業の作業性を向上し、労力を低減する。  【解決手段】コネクタ１２の表裏両面に夫々の回路基板１０，１１を固定する凹設部１７，１７を形成する。又、該コネクタ１２の凹設部１７，１７に端子１８，１８…を装着すると共に、該回路基板１０，１１の縁部にパターン１４，１４…、１６，１６…を配設して、夫々の回路基板１０，１１をコネクタ１２の表裏両面の凹設部１７，１７に固定した際、該回路基板１０，１１のパターン１４，１４…、１６，１６…が該コネクタ１２の端子１８，１８…に圧接するように構成する。【選択図】図１
2005093378.tif 000002
【特許請求の範囲】
【請求項１】
配線を施した一方の回路基板と他方の回路基板とをコネクタにて接続する回路基板の接続装置であって、該回路基板の外周縁部に沿う如くコネクタの表裏両面に凹設部を設け、該凹設部に夫々の回路基板を固定できるように形成し、且つ、該回路基板の縁部にパターンを配設すると共に、該コネクタの凹設部に端子を装着し、該回路基板をコネクタの凹設部に固定した際、該コネクタの端子と回路基板のパターンとが圧接するように形成してコネクタに固定した表側の回路基板と裏側の回路基板とを導通できるように構成したことを特徴とする回路基板の接続装置。
【発明の詳細な説明】
【技術分野】
【０００１】
本発明は、回路基板の接続装置に関するものであり、特に、ハンダ付けを不要として組み付け工程を簡素化した回路基板の接続装置に関するものである。
【背景技術】
【０００２】
従来の回路基板の接続装置は、図１２乃至図１６に示すように、一方の回路基板１の一側部にパターン２，２…が印刷され、該パターン２，２…にメス型コネクタ３の端子４，４…がハンダ付けして固定される。又、他方の回路基板５の一側部には、前記回路基板１と同様にパターン６，６…が配設され、該パターン６，６…にオス型コネクタ７の端子８，８…がハンダ付けされて該回路基板５にオス型コネクタ７が固定される。
【０００３】
そして、オス型コネクタ７をメス型コネクタ３に嵌合すれば、一方の回路基板１と他方の回路基板５とが導通する。（例えば、特許文献１参照）。
【特許文献１】特開２０００−２６０５０７号公報
【発明の開示】
【発明が解決しようとする課題】
【０００４】
特許文献1記載の発明は、夫々の回路基板にハンダ付けして実装したオス型コネクタとメス型コネクタとを嵌合することにより、夫々の回路基板を導通できるように構成している。しかし、該コネクタをハンダ付けにて回路基板に実装するため、組み付け作業が煩雑となって回路基板の組み付け作業の作業性を悪化させる原因となっている。
【０００５】
そこで、回路基板の接続する際の組み付け作業を簡素化して作業性を向上するために解決すべき技術的課題が生じてくるのであり、本発明はこの課題を解決することを目的とする。
【課題を解決するための手段】
【０００６】
本発明は上記目的を達成するために提案されたものであり、配線を施した一方の回路基板と他方の回路基板とをコネクタにて接続する回路基板の接続装置であって、該回路基板の外周縁部に沿う如くコネクタの表裏両面に凹設部を設け、該凹設部に夫々の回路基板を固定できるように形成し、且つ、該回路基板の縁部にパターンを配設すると共に、該コネクタの凹設部に端子を装着し、該回路基板をコネクタの凹設部に固定した際、該コネクタの端子と回路基板のパターンとが圧接するように形成してコネクタに固定した表側の回路基板と裏側の回路基板とを導通できるように構成した回路基板の接続装置を提供する。
【発明の効果】
【０００７】
本発明の回路基板の接続装置は、コネクタを接続する回路基板と同型の凹設部を該コネクタの表裏両面に形成すると共に、該凹設部に該回路基板を固定できるように設けられている。又、回路基板の外縁部にはパターンが配設され、該コネクタの凹設部に配設された端子に圧接できるように形成されている。
【０００８】
而して、該コネクタの凹設部に夫々回路基板を固定すれば該コネクタの端子を介して表裏両面の回路基板が導通する。従って、従来のようにコネクタを回路基板にハンダ付けする作業、及び、メス型コネクタとオス型コネクタを嵌合するための位置決め作業が不要となるので、該回路基板を導通させる組み付け作業の作業性が向上すると共に、労力を軽減してコストの削減にも寄与できる利点がある。
【発明を実施するための最良の形態】
【０００９】
以下、本発明の一実施の形態を図１乃至図１１に従って詳述する。図１は、一方の回路基板１０と他方の回路基板１１及びコネクタ１２の組立分解斜視図であり、一方の回路基板１０には各種電子部品１３，１３…が載置され、且つ、該回路基板１０には配線が施されている。更に、図１乃至図３に示すように、該回路基板１０の外縁部にはパターン１４，１４…が配設されている。
【００１０】
又、図１及び図４並びに図５に示すように、他方の回路基板１１には、前記回路基板１０と同様に各種電子部品１５，１５…が載置され、且つ、外縁部にパターン１６，１６…を配設している。
【００１１】
一方、前記コネクタ１２は、図１及び図６並びに図７に示すように、合成樹脂にて形成され、且つ、表裏両面に凹設部１７，１７を設けている。そして、該凹設部１７，１７は、前記回路基板１０，１１の外周縁部と略同形状に形成され、且つ、該凹設部１７，１７に前記回路基板１０，１１を固定できるように形成されている。更に、該コネクタ１２の外周縁部には上下の凹設部１７，１７を貫通して端子１８，１８…が装着されている。
【００１２】
而して、一方の回路基板１０と他方の回路基板１１とを導通させる際には、前記コネクタ１２の上下凹設部１７，１７に該回路基板１０，１１を夫々嵌合して固定する。このときには、該回路基板１０のパターン１４，１４…及び回路基板１１のパターン１６，１６…が該コネクタ１２の端子１８，１８…に圧接するので、該回路基板１０と回路基板１１とが導通される。従って、従来のように、コネクタ１２を回路基板１０或いは１１にハンダ付けする工程が不要となり、更に、該回路基板１０と回路基板１１との位置決め作業が不要となるので、当該組み付け作業が簡素化して労力を低減することができると共に、コストの削減にも寄与できる。
【００１３】
又、図８乃至図１１は他の実施の形態を示し、コネクタ１９の縁部を内外方向にスライド可能なカバー２１，２１…を装着すると共に、該コネクタ１９の凹設部２０，２０の四辺縁部を夫々開放被蔽自在に構成してある。そして、前記回路基板１０，１１を固定する際には、先ず、該カバー２１，２１…を開放する。然る後、該回路基板１０，１１を該凹設部２０，２０に嵌合して該カバー２１，２１…を内側へスライドすることにより、該回路基板１０，１１の縁部がコネクタ１９の縁部と該カバー２１，２１…の内側面とに挟持されて当該回路基板１０，１１が該コネクタ１９に固定される。
【００１４】
このときは、該回路基板１０，１１のパターン２２，２２…、２３，２３…がコネクタ１９の端子２４，２４…に圧接するので、該回路基板１０と回路基板１１とが導通する。この実施の形態に於いても、前述と同様にハンダ付け作業及び回路基板１０と回路基板１１との位置決め作業が不要となるため、作業性を向上して組み付け作業の労力を低減することができると共に、コストの削減にも寄与できる。
【００１５】
尚、本発明は、本発明の精神を逸脱しない限り種々の改変を為すことができ、そして、本発明が該改変されたものに及ぶことは当然である。
【図面の簡単な説明】
【００１６】
【図１】本発明回路基板の接続装置の組立分解斜視図。
【図２】回路基板の平面図。
【図３】回路基板の裏面図。
【図４】回路基板の平面図。
【図５】回路基板の裏面図。
【図６】回路基板をコネクタに固定する状態を示す要部の拡大縦断面図。
【図７】回路基板をコネクタに固定した状態を示す要部の拡大縦断面図。
【図８】他の実施の形態のコネクタの斜視図。
【図９】他の実施の形態を示し、コネクタの要部の拡大縦断面図。
【図１０】他の実施の形態を示し、回路基板をコネクタに固定する状態を示す要部の拡大縦断面図。
【図１１】他の実施の形態を示し、回路基板をコネクタに固定した状態を示す要部の拡大縦断面図。
【図１２】従来の回路基板の接続装置を示す組立分解斜視図。
【図１３】従来の回路基板の平面図。
【図１４】従来の回路基板の裏面図。
【図１５】従来の回路基板の平面図。
【図１６】従来の回路基板の裏面図。
【符号の説明】
【００１７】
１０，１１  回路基板
１１，１９  コネクタ
１４，１６，２２，２３  パターン
１７，２０  凹設部
１８，２４  端子
【図１】
2005093378.tif 000003
【図２】
2005093378.tif 000004
【図３】
2005093378.tif 000005
【図４】
2005093378.tif 000006
【図５】
2005093378.tif 000007
【図６】
2005093378.tif 000008
【図７】
2005093378.tif 000009
【図８】
2005093378.tif 000010
【図９】
2005093378.tif 000011
【図１０】
2005093378.tif 000012
【図１１】
2005093378.tif 000013
【図１２】
2005093378.tif 000014
【図１３】
2005093378.tif 000015
【図１４】
2005093378.tif 000016
【図１５】
2005093378.tif 000017
【図１６】
2005093378.tif 000018